(57)【要約】【課題】上がり湯ネットとともにネットベルトを取り外して容易に洗浄することができ、ネットベルト付き上がり湯ネットを清潔に使用することができる浴槽用巻上げ装置を提供する。【解決手段】簡易浴槽１の端部に巻上げ装置１０が着脱可能に取り付けられる。巻上げ装置のベースの略中央上に、回転軸１５が鉛直方向に且つ回転可能に突設される。上がり湯ネット２の端部両側に１本のネットベルト３が掛け渡すように接続される。回転軸の先端に、上がり湯ネット２のネットベルト３を巻き取る巻取ロール１３が取り付けられる。回転軸には回転駆動部１４が連結される。巻取ロール１３にはネットベルト３の中間部を差し込むための挿入スリット１３ａが設けられる。巻取ロール１３の両側のベース上に、１対のガイドプーリ１８，１９が鉛直方向に回転自在に軸支される。【選択図】図１０
2016131804.tif 000002
【特許請求の範囲】
【請求項１】
簡易浴槽内で使用されるネットベルト付き上がり湯ネットを上げ下ろしする浴槽用巻上げ装置において、
該上がり湯ネットの端部両側には、１本のネットベルトが掛け渡すように接続され、該簡易浴槽の端部に巻上げ装置が着脱可能に取り付けられ、該巻上げ装置のベースの略中央上に、回転軸が鉛直方向に且つ回転可能に突設され、
該回転軸の先端に該ネットベルトを巻き取る巻取部が取り付けられ、該回転軸には回転駆動部が連結され、該巻取部には該ネットベルトの中間部を差し込むための挿入空間が設けられ、１対のガイドプーリが該巻取ロールの両側の該ベース上に、回転自在に軸支され、
該ネットベルトを該ガイドプーリにかけるとともに、該ネットベルトの略中央部を該巻取部の挿入空間に挿入してセットすることを特徴とする浴槽用巻上げ装置。
【請求項２】
前記巻取部として該回転軸の先端に巻取ロールが取り付けられ、該巻取ロールには該ネットベルトの中間部を差し込むための挿入スリットが設けられたことを特徴とする請求項１記載の浴槽用巻上げ装置。
【請求項３】
前記巻上げ装置のベースの両側に、１対の取付ロッドが水平方向に突設され、該取付ロッドの先端部を前記簡易浴槽の両側端部に差し込んで該巻上げ装置を取り付けることを特徴とする請求項１記載の浴槽用巻上げ装置。
【請求項４】
前記回転駆動部には、ウオームギヤが設けられ、該ウオームギヤの入力軸にハンドル軸が取り付けられ、該ウオームギヤの出力軸に前記回転軸が連結され、手動でハンドル軸を回して前記巻取部を回転駆動することを特徴とする請求項１記載の浴槽用巻上げ装置。
【請求項５】
前記巻上げ装置のベース上に、カバーが開閉可能に取り付けられ、該カバーを開いた状態で前記巻取部及びガイドプーリを露出させ、前記ネットベルトを該巻取部及びガイドプーリから着脱することを特徴とする請求項１記載の浴槽用巻上げ装置。
【発明の詳細な説明】
【技術分野】
【０００１】
本発明は、浴槽に取り付けて使用され、上がり湯ネットを巻き上げる巻上げ装置に関し、特に老人介護などに使用する運搬可能な簡易浴槽に装着して使用される浴槽用巻上げ装置に関する。
【背景技術】
【０００２】
老人介護や身体障害者介護に、運搬可能な簡易浴槽が、使用されている。この種の簡易浴槽として、浴槽内に上がり湯ネットを弛緩可能に装着した簡易浴槽が知られており、この簡易浴槽では、入浴者を浴槽内で洗った後、上がり湯ネットを緊張させて浴槽上に持ち上げ、そこで上がり湯をかけて入浴者の体を洗うようにする。このような簡易浴槽で使用される上がり湯ネットを上げ下げするために、下記特許文献１において、上がり湯ネットのベルトを巻き上げる浴槽用巻上げ装置が提案されている。
【先行技術文献】
【特許文献】
【０００３】
【特許文献１】特許第３６１３３９１号
【発明の概要】
【発明が解決しようとする課題】
【０００４】
従来の上記巻上げ装置は、ハンドルにより回転可能に、回転軸を水平に軸支し、回転軸の両端に巻取りプーリを取り付け、上がり湯ネットの端部に連結された２本のネットベルトを、連結部を介して両側の巻取りプーリに巻き取らせた巻取りベルトの先端部に連結させ、ハンドル操作によって回転軸を回転させ、両側の巻取りプーリを回転させて２本のベルトを巻き取り或いは巻き戻す構造である。２本の巻取りベルトは、上がり湯ネットのネットベルトから分離されて、巻取りプーリに巻かれているが、使用時には浴槽内の湯に浸漬される。
【０００５】
このため、使用後は、上がり湯ネットはネットベルトとともに洗浄され、清潔な状態として繰り返し使用されるが、巻取りプーリに巻き取られる巻取りベルトは、浴槽のお湯が付着して汚れるにも関わらず、巻取りプーリに接続されて巻き取られるので、容易に外すことができない。このため、洗浄されるのは、ネットベルト付きの上がり湯ネットのみであり、巻取りベルトは、浴槽のお湯が付着して汚れるにも関わらず長期間、洗浄されない状態となりやすく、衛生上の問題があった。
【０００６】
本発明は、上述の課題を解決するものであり、上がり湯ネットとともにネットベルトを取り外して容易に洗浄することができ、ネットベルト付き上がり湯ネットを清潔に使用することができる浴槽用巻上げ装置を提供することを目的とする。
【課題を解決するための手段】
【０００７】
本発明に係る浴槽用巻上げ装置は、簡易浴槽内で使用されるネットベルト付き上がり湯ネットを上げ下ろしする浴槽用巻上げ装置において、
該上がり湯ネットの端部両側には、１本のネットベルトが掛け渡すように接続され、該簡易浴槽の端部に巻上げ装置が着脱可能に取り付けられ、該巻上げ装置のベースの略中央上に、回転軸が鉛直方向に且つ回転可能に突設され、該回転軸の先端に該ネットベルトを巻き取る巻取部が取り付けられ、該回転軸には回転駆動部が連結され、該巻取部には該ネットベルトの中間部を差し込むための挿入空間が設けられ、１対のガイドプーリが該巻取部の両側の該ベース上に、回転自在に軸支され、該ネットベルトを該ガイドプーリにかけるとともに、該ネットベルトの略中央部を該巻取部の挿入空間に挿入してセットすることを特徴とする。
【０００８】
この発明の浴槽用巻上げ装置によれば、簡易浴槽の端部に巻上げ装置を取り付け、そのベース上に突設される巻取部の挿入空間に、１本のネットベルトの中間部を差し込むのみの簡単な作業で、ネットベルト付き上がり湯ネットをセットすることができ、さらに、回転駆動部により巻取部を回転駆動するのみで、上がり湯ネットの上げ下げを非常に簡便に行うことができる。また、使用後、上がり湯ネットはネットベルトとともに巻上げ装置から簡単に外して、洗浄することができるので、ネットベルト付き上がり湯ネットを衛生的に繰り返し使用することができる。
【０００９】
ここで、上記巻取部として該回転軸の先端に巻取ロールを取り付け、該巻取ロールには該ネットベルトの中間部を差し込むための挿入スリットを設けることができる。これによれば、巻取部を比較的簡単な構造の巻取ロールとして製作することができ、またネットベルトの着脱や巻き取りも円滑に行うことができる。
【００１０】
またここで、上記巻上げ装置のベースの両側には１対の取付ロッドが水平方向に突設され、該取付ロッドの先端部を上記簡易浴槽の両側端部に差し込んで該巻上げ装置を取り付けるように構成することが好ましい。これによれば、巻上げ装置を非常に簡単に簡易浴槽の端部に取り付けることができる。
【００１１】
またここで、上記回転駆動部には、ウオームギヤが設けられ、該ウオームギヤの入力軸にハンドル軸が取り付けられ、該ウオームギヤの出力軸に上記回転軸が連結され、手動でハンドル軸を回して上記巻取ローラを回転駆動するように構成することが好ましい。また、巻上げ装置の上記ベース上には、カバーが開閉可能に取り付けられ、カバーを開いた状態で上記巻取ロール及びガイドプーリを露出させ、ネットベルトを着脱するように構成することができる。
【発明の効果】
【００１２】
この発明の浴槽用巻上げ装置によれば、上がり湯ネットとともにネットベルトを取り外して容易に洗浄することができ、ネットベルト付き上がり湯ネットを清潔に使用することができる。
【図面の簡単な説明】
【００１３】
【図１】本発明の一実施形態を示す浴槽用巻上げ装置の正面図である。
【図２】同巻上げ装置の右側面図である。
【図３】同巻上げ装置の平面図である。
【図４】同巻上げ装置の背面図である。
【図５】同巻上げ装置の斜視図である。
【図６】同巻上げ装置の背面側からの斜視図である。
【図７】同巻上げ装置のカバーを開いた状態の右側面図である。
【図８】カバーを外した状態の正面図である。
【図９】カバーを外した状態の平面図である。
【図１０】カバーを開いた状態の斜視図である。
【図１１】簡易浴槽に取り付けた（使用）状態を示す右側面図である。
【図１２】カバーを外した（使用）状態を示す要部斜視図である。
【発明を実施するための形態】
【００１４】
以下、本発明の一実施形態を図面に基づいて説明する。この浴槽用巻取り装置は、図１１，１２に示すように、簡易浴槽１内で使用されるネットベルト３付きの上がり湯ネット２を、浴槽内で上げ下ろしするための巻上げ装置１０として構成される。
【００１５】
上がり湯ネット２は、簡易浴槽１内に配置されて入浴者を下から支持するように、網状布で形成され、一端には浴槽の端部に結ばれる図示しない紐が接続される。また、上がり湯ネット２の他端には、巻上げ装置１０で巻き上げるための、１本のネットベルト３が、図１２に示す如く、ネットの側方から見た両側端部に、掛け渡すように接続される。
【００１６】
巻上げ装置１０は、図７〜図１０に示すように、水平横方向に長いベース１１を備え、ベース１１の略中央部に、回転軸１５が鉛直方向上方に突出する形態で、回転駆動可能に軸支され、回転軸１５の先端には、上記巻取部として、ネットベルト３を巻き取るための巻取ロール１３が取り付けられる。さらに、巻取ロール１３を支持するベース１１上の両側には、１対のガイドプーリ１８、１９が、巻取ロール１３と同じ水平レベルで、且つ鉛直方向に突出する形態で、回動自在に軸支される。
【００１７】
巻取ロール１３は、回転駆動部１４から上方に突設された回転軸１５の先端に取り付けられ、ネットベルト３を掛けて巻き取るように、巻取ロール１３の中央には挿入スリット１３ａが縦方向に形成される。挿入スリット１３ａは、ネットベルト３の中間部を、上から容易に差し込み可能となっている。これにより、ネットベルト３の中間部を簡単に巻取ロール１３に掛けることができ、巻取ロール１３を何れの方向に回転駆動した場合でも、ネットベルト３の両側端部に接続された上がり湯ネット２の端部を均等に引張することができるようになっている。
【００１８】
なお、上記巻取部となる巻取ロール１３は、円柱状のロールの中央に挿入スリット１３ａを縦に設けて形成したが、巻取部の回転によりネットベルト３を巻き取る構造であればよく、例えば、小型円板の上に２本の巻取軸を、挿入空間をあけて立設し、その挿入空間にネットベルト３を差し込み、巻取部の回転によりネットベルト３を巻き取る構造とすることもできる。
【００１９】
回転軸１５を回転駆動する回転駆動部１４は、図８，９に示す如く、ウオームギヤ１４ａを内蔵し、入力軸となるウオームと出力軸となるウオームホイール１４ｂが噛合する構造である。ウオームホイール１４ｂの出力軸は回転軸１５となり、ウオームギヤ１４ａの入力軸はハンドル軸１６として背面側に突設され、ハンドル軸１６には、手動でハンドル軸１６を回すためにハンドル１７が設けられる。これにより、ハンドル１７を回すと、ウオームギヤ１４ａの回転駆動部１４を介して回転軸１５及び巻取ロール１３が回転し、ネットベルト３を巻き取ることができる。
【００２０】
巻取ロール１３の両側のベース１１上に、ガイド部１１ａ，１１ｂが設けられ、ガイド部１１ａ，１１ｂの上に、各々ガイドプーリ１８、１９が鉛直方向に突設され、且つ回動自在に軸支される。ガイドプーリ１８とガイドプーリ１９との正面から見た幅は、上がり湯ネット２におけるネットベルト３の両側の接続箇所の間隔と略等しくなるように配置される。これにより、上がり湯ネット２の両側に接続された１本のネットベルト３の両端は、ネットの長手方向と平行に引き出され、そのままガイドプーリ１８、１９にかけられて、引張され或いは弛緩されるようになっている。
【００２１】
さらに、ベース１１のガイド部１１ａ，１１ｂの両側には、浴槽に取り付けるために、１対の取付ロッド４が水平に且つ正面に向かって突設される。取付ロッド４は、図２、３などに示すごとく、ベース１１に対し直角に正面に向けて突設され、図１１，１２に示すように、簡易浴槽１の端部両側に設けた挿入孔に、取付ロッド４の先端部を挿入して、巻上げ装置１０を簡易浴槽１の端部に取り付ける構造となっている。なお、ベース１１の両側のガイド部１１ａ，１１ｂ正面側には、図８〜１０に示すように、各々、ガイドローラ９が水平に回転自在に軸支され、１対のガイドプーリ１８，１９を介して引き出されるネットベルト３を、ガイドローラ９に接触させて回転し円滑にガイドするようになっている。また、ベース１１の下側は、下カバー部１１ｃによって覆われている。
【００２２】
さらに、図１，２などに示すように、巻上げ装置１０のベース１１上には、その上部を覆うように、カバー１２が開閉可能に装着される。カバー１２は、下側を開放した直方体状の箱型に形成され、その背面側下部に設けたヒンジ部１２ｂを介して、図７に示す如く、下カバー部１１ｃの上縁部に取り付けられ、カバー１２は上下に回動し開閉される。また、カバー１２には係止フック２１が取り付けられ、カバー１２を閉じたとき、係止フック２１がベース１１の一部に係止される構造であり、その係止フック２１の係止を外すために、アンロックレバー２２がカバー１２の両側に設けられている。
【００２３】
カバー１２の上部には、把手１２ｃが取り付けられ、把手１２ｃを持って巻上げ装置１０の持ち運びやカバー１２の開閉を容易に行うことができるようになっている。さらに、図１に示す如く、カバー１２の正面において、１対のガイドプーリ１８，１９の前面両側位置に、開口部１２ａが形成され、カバー１２を閉じた状態で、ネットベルト３を両側の開口部１２ａから浴槽側に引き出されるようになっている。
【００２４】
次に、上記構成の浴槽用巻上げ装置の使用態様について説明する。上記浴槽用巻上げ装置は、老人や身体障害者などの介護を必要とする被介護者を、簡易浴槽１に入浴させる際、簡易浴槽１の端部に取り付けて使用される。
【００２５】
簡易浴槽１は、例えば複数個に分解して搬送可能な構造であり、入浴者の部屋などに搬入して使用され、簡易浴槽１内には、図１１，１２に示すように、上がり湯ネット２が配設される。上がり湯ネット２の一方の両側端部に接続した紐は、簡易浴槽１の一端（巻上げ装置１０とは反対側の端部）に結んで接続される。
【００２６】
簡易浴槽１の他方の端部に、巻上げ装置１０が図１２に示す如く取り付けられ、そこに上がり湯ネット２の他方の端部に接続した１本のネットベルト３が巻き掛けられる。巻上げ装置１０は、両側前方に突出させた１対の取付ロッド４を、簡易浴槽１の端部両側に設けた挿入孔に差し込み、簡単に取り付けることができる。
【００２７】
この状態で、カバー１２を開き、上がり湯ネット２の他方の両側端部に接続された１本のネットベルト３の中間部を、巻上げ装置１０の巻取ロール１３の挿入スリット１３ａに挿入して掛ける。さらに、その両側に延びるネットベルト３を、巻取ロール１３の両側位置のガイドプーリ１８，１９の外側に掛ける。これにより、上がり湯ネット２の他方の両側端部は、図１１，１２に示すように、簡易浴槽１内の端部位置に略水平に支持される状態となって、上がり湯ネット２は浴槽内にセットされる。このように、ネットベルト３を、巻上げ装置１０の巻取ロール１３、ガイドプーリ１８，１９に対し、非常に簡単に装着してセットすることができる。
【００２８】
この状態で、簡易浴槽１内にお湯が入れられ、図示しない持上器などで入浴者を持ち上げ、持上器を下降動作させて、入浴者を簡易浴槽１内の上がり湯ネット２上に載せる。このとき、上がり湯ネット２は、巻上げ装置１０によりそのネットベルト３を巻き上げて、緊張状態(上昇状態)としても良いし、ネットベルト３を巻き戻して、弛緩状態（下降状態）としても良い。
【００２９】
ネットベルト３を緊張状態(上昇状態)とする場合、巻上げ装置１０のハンドル１７を把持してハンドル軸１６を回し、回転駆動部１４を介して、巻取ロール１３をベルトの巻取方向に回動させ、ネットベルト３及び上がり湯ネット２を浴槽上で緊張状態とする。
【００３０】
このとき、巻取ロール１３がネットベルト３を巻き取った状態で、巻取ロール１３に戻り方向のテンションが印加されたとしても、回転駆動部１４にウオームギヤ１４ａが使用されるため、巻取ロール１３の戻り方向の回転はロックされ、そこにかかるテンションで巻取ロール１３は戻り方向に回転することはない。
【００３１】
このため、上がり湯ネット２の緊張状態とその上昇位置は確実に保持され、入浴者を上がり湯ネット２の上に安全に載せることができる。そしてこの後、巻上げ装置１０のハンドル１７を、上記とは逆に回して、巻取ロール１３をベルトの戻し方向に回動させ、ネットベルト３及び上がり湯ネット２を弛緩させる。これにより、入浴者はその自重で浴槽内に下降し、お湯に入って、入浴が行われ、石鹸やシャンプーなどで体が洗われる。
【００３２】
そして、入浴者の体を洗った後、再び、巻上げ装置１０のハンドル１７を回して、巻取ロール１３を、巻取方向に回動させ、ネットベルト３及び上がり湯ネット２を浴槽上で緊張状態とし、入浴者をお湯から上げ、その状態で、上がり湯を入浴者にかける。これにより、入浴者の体に付着した石鹸などがきれいなお湯で洗い流され、入浴を終えることができる。そして、再び図示しない持上器などを用いて、上がり湯ネット２上の入浴者を持ち上げて、ベッドなどに移動させる。
【００３３】
このように、入浴の終わった上がり湯ネット２は、その両端の紐やネットベルト３を外して、洗浄されるが、ネットベルト３は、その全体を、巻取ロール１３の挿入スリット１３ａから簡単に上に引上げて外すことができるので、ネットベルト３付きの上がり湯ネット２の全体を、簡易浴槽１及び巻上げ装置１０から外して洗浄することができる。したがって、ネットベルト３付きの上がり湯ネット２を、衛生的に繰り返し使用することができる。
【符号の説明】
【００３４】
１      簡易浴槽
２      湯ネット
３      ネットベルト
４      取付ロッド
９      ガイドローラ
１０    巻上げ装置
１１    ベース
１１ａ  ガイド部
１１ｃ  下カバー部
１２    カバー
１２ａ  開口部
１２ｂ  ヒンジ部
１２ｃ  把手
１３    巻取ロール
１３ａ  挿入スリット
１４    回転駆動部
１４ａ  ウオームギヤ
１４ｂ  ウオームホイール
１５    回転軸
１６    ハンドル軸
１７    ハンドル
１８    ガイドプーリ
１９    ガイドプーリ
２１    係止フック
２２    アンロックレバー
【図１】
2016131804.tif 000003
【図２】
2016131804.tif 000004
【図３】
2016131804.tif 000005
【図４】
2016131804.tif 000006
【図５】
2016131804.tif 000007
【図６】
2016131804.tif 000008
【図７】
2016131804.tif 000009
【図８】
2016131804.tif 000010
【図９】
2016131804.tif 000011
【図１０】
2016131804.tif 000012
【図１１】
2016131804.tif 000013
【図１２】
2016131804.tif 000014